(57)【要約】【課題】巻き取り式の網戸ユニットを有し、下枠のスリットに埃等が入りにくく、より平坦な建具を提供する。【解決手段】室内外を連通する開口を開閉自在に設けられる建具であって、上下方向に沿って設けられた回動軸に巻き付けられた網戸が見付け方向に引き出されて前記開口を覆い、前記網戸が巻き取られて前記開口を開放する巻き取り式の網戸ユニットと、見付け方向に沿って設けられ前記網戸の下端部が挿通されるスリットを有する網戸挿通部、前記網戸挿通部に隣接して設けられた溝部、前記溝部と隣接させて設けられ前記溝部の底面より高い水平面を形成する上面部、を備えた枠体と、を有する。【選択図】図５
2008196155.tif 000002
【特許請求の範囲】
【請求項１】
室内外を連通する開口を開閉自在に設けられる建具であって、
上下方向に沿って設けられた回動軸に巻き付けられた網戸が見付け方向に引き出されて前記開口を覆い、前記網戸が巻き取られて前記開口を開放する巻き取り式の網戸ユニットと、
見付け方向に沿って設けられ前記網戸の下端部が挿通されるスリットを有する網戸挿通部、前記網戸挿通部に隣接して設けられた溝部、前記溝部と隣接して設けられ前記溝部の底面より高い水平面を形成する上面部、を備えた枠体と、
を有することを特徴とする建具。
【請求項２】
請求項１に記載の建具であって、
前記網戸挿通部の上面と前記上面部との高さは同じであることを特徴とする建具。
【請求項３】
請求項１または請求項２に記載の建具であって、
前記溝部は、見込み方向における前記スリットの両側に、見付け方向に沿って設けられていることを特徴とする建具。
【請求項４】
請求項１乃至請求項３のいずれかに記載の建具であって、
前記網戸は、前記溝部によりガイドされる被ガイド部を有することを特徴とする建具。
【請求項５】
請求項４に記載の建具であって、
前記溝部の幅は前記被ガイド部の幅より広いことを特徴とする建具。
【請求項６】
請求項４または請求項５に記載の建具であって、
前記被ガイド部は戸車であることを特徴とする建具。
【請求項７】
請求項１乃至請求項６のいずれかに記載の建具であって、
前記スリットの下方には、前記スリットの室内側の前記上面部を形成する室内側部材と、前記スリットの室外側の前記上面部を形成する室外側部材と、にて空隙が形成されており、
前記室内側部材と前記室外側部材とのうちのいずれか一方は他方に対し着脱自在に設けられ、
前記室内側部材と前記室外側部材とのうちのいずれか一方を他方から取り外した際に、前記空隙の上方が開放されることを特徴とする建具。
【発明の詳細な説明】
【技術分野】
【０００１】
本発明は、巻き取り式の網戸ユニットを備え、室内外を連通する開口部に設けられる建具に関する。
【背景技術】
【０００２】
従来、巻き取り式の網戸ユニットを備え、室内外を連通する開口部に設けられる建具は既に知られている。このような建具は、縦枠に沿って設けられた巻き取りボックスからネットを引き出す際に、ネットの先端に設けられた操作框の下端が下枠部材に取り付けられた下側の案内レールの突部に案内されつつネットが引き出される。操作框の下端が案内される突部には、頂部にスリットが設けられており、このスリットには、ネットの下端部に取り付けられた係止部材が、スリットから抜けないように挿入されている。そして、引き出されるネットは、下端部がスリットに沿って移動する（例えば、特許文献１参照）。
【特許文献１】登録実用新案第２５２８５９０号公報
【発明の開示】
【発明が解決しようとする課題】
【０００３】
近年、バリアフリー化への要請が高まり、建具の枠体も平坦であることが望まれている。しかしながら、上記従来の建具は、ネットが引き出される際に、操作框の下端が下枠側から突出された突部により案内されているため、枠体を平坦にすることはできない。また、仮に、突部を下枠の高さまで低くしてしまうと、平坦な面にスリットが形成されるため、スリットから枠体内に小さなゴミや埃が入り込みやすくなり、メンテナンスが煩雑になるという課題があった。
【０００４】
本発明は、かかる課題に鑑みてなされたものであり、その目的とするところは、巻き取り式の網戸ユニットを有し、下枠のスリットに埃等が入りにくく、より平坦な建具を提供することにある。
【課題を解決するための手段】
【０００５】
かかる目的を達成するために本発明の建具は、室内外を連通する開口を開閉自在に設けられる建具であって、上下方向に沿って設けられた回動軸に巻き付けられた網戸が見付け方向に引き出されて前記開口を覆い、前記網戸が巻き取られて前記開口を開放する巻き取り式の網戸ユニットと、見付け方向に沿って設けられ前記網戸の下端部が挿通されるスリットを有する網戸挿通部、前記網戸挿通部に隣接して設けられた溝部、前記溝部と隣接して設けられ前記溝部の底面より高い水平面を形成する上面部、を備えた枠体と、を有することを特徴とする建具である。  
このような建具によれば、スリットを有する網戸挿通部と上面部との間に、溝部が設けられているので、上面部に落ちた埃等は、気流や他の物体に押されて上面部上を移動したとしてもスリットには直接入り込みにくく、また、埃等を溝部に留まらせることが可能である。このため、巻き取り式の網戸ユニットを備えつつ、網戸が挿通されるスリット内に埃等が入り込み難い建具を提供することが可能である。
【０００６】
かかる建具であって、前記網戸挿通部の上面と前記上面部との高さは同じであることが望ましい。  
このような建具によれば、網戸挿通部の上面と上面部との高さが同じなので、下枠の上面をより平坦に仕上げることが可能である。このため、バリアフリー化が図れるとともに、窓越しの景観も含め、美観に優れた建具を提供することが可能である。
【０００７】
かかる建具であって、前記溝部は、見込み方向における前記スリットの両側に、見付け方向に沿って設けられていることが望ましい。  
このような建具によれば、見込み方向においてスリットの両側に溝部が設けられているので、見込み方向においてスリットのいずれの側に落ちた埃もスリット内に入りにくい構造にすることが可能である。
【０００８】
かかる建具であって、前記網戸は、前記溝部によりガイドされる被ガイド部を有することが望ましい。  
このような建具によれば、網戸が溝部によってガイドされる被ガイド部を有するので、網戸をガイドするためのガイド部材を別途備えることなく、溝部によって網戸を適切な方向に移動させることが可能である。
【０００９】
かかる建具であって、前記溝部の幅は前記被ガイド部の幅より広いことが望ましい。  
このような建具によれば、溝部の幅は被ガイド部の幅より広いので、被ガイド部が溝部内を移動しても、埃等は溝部の空いている部位に移動可能なので、埃等が被ガイド部により溝部から押し出されてスリット内に入り込むことを抑えることが可能である。
【００１０】
かかる建具であって、前記被ガイド部は戸車であることが望ましい。  
このような建具によれば、戸車が溝部にガイドされて網戸が移動するので、戸車と溝部との摩擦抵抗は小さい。このため、より滑らかに網戸を移動させることが可能である。
【００１１】
かかる建具であって、前記スリットの下方には、前記スリットの室内側の前記上面部を形成する室内側部材と、前記スリットの室外側の前記上面部を形成する室外側部材と、にて空隙が形成されており、前記室内側部材と前記室外側部材とのうちのいずれか一方は他方に対し着脱自在に設けられ、前記室内側部材と前記室外側部材とのうちのいずれか一方を他方から取り外した際に、前記空隙の上方が開放されることが望ましい。  
このような建具によれば、たとえスリットから埃が入り込んだとしても、スリットの下に設けられた空隙に埃等を溜めることが可能である。また、空隙を形成する室内側部材と室外側部材とはいずれか一方が他方に対し着脱自在に設けられ、室内側部材と室外側部材とのうちのいずれか一方を他方から取り外した際に、空隙の上方が開放されるので、空隙内に埃等が溜まった場合には、他方を取り外して空隙内を掃除することが可能である。このためメンテナンス性の良い建具を提供することが可能である。
【発明の効果】
【００１２】
本発明によれば、巻き取り式の網戸ユニットを有し、下枠のスリットに埃等が入りにくく、より平坦な建具を提供することが可能である。
【発明を実施するための最良の形態】
【００１３】
以下、本発明の一実施形態に係る建具１０について、図１〜図５を参照して説明する。  
本実施形態では、図１、図２に示すように、建物に設けられた枠体２０と、ガラスが嵌め付けられたＦＩＸ窓１２と、ＦＩＸ窓１２にて閉塞されていない部分を閉塞可能に設けられた移動可能な障子１４と、回動軸３６に巻き付けられた網戸３２の構成部材としての防虫用のネット３２ａが見付け方向に引き出されて開口を覆い、ネット３２ａが巻き取られ開口を開放する巻き取り式の網戸ユニット３０とを備えた建具１０を例に挙げて説明する。以下の説明においては、建具１０を室外側から見たときに上下となる方向を上下方向、左右となる方向を左右方向または見付け方向、室内外方向である奥行き方向を見込み方向として示す。
【００１４】
枠体２０は、ＦＩＸ窓１２及び障子１４よりも上側及び下側に位置する上枠２１及び下枠２２と、左側及び右側に位置する左縦枠２６及び右縦枠２８と、を有している。上枠２１には、障子１４の室外側に、後述する網戸３２の可動桟３２ｂの上部をガイドするガイド部（不図示）と、ネット３２ａの上端部が挿通されるスリット（不図示）とが設けられている。また、下枠２２には、障子１４の室外側であって、上枠２１のスリットと対向する位置に、ネット３２ａの下端部が挿通されるスリット２２ａが設けられている。
【００１５】
ＦＩＸ窓１２は、障子１４よりも、見込み方向における室外側、かつ、見付け方向における左側に位置しており、見付け方向における窓幅は、障子１４の窓幅よりも大きく形成されている。本実施形態では、上枠２１、下枠２２、及び、左縦枠２６と、上枠２１と下枠２２との間に設けられた縦骨２９と、にガラス５が保持されてＦＩＸ窓１２が構成されている。
【００１６】
障子１４は、ＦＩＸ窓１２よりも、見込み方向における室内側、かつ、見付け方向における右側に位置し、下枠２２に設けられた下レール２３ａ上を見付け方向に沿ってスライド可能に構成されている。そして、障子１４を開くことにより、室内外を連通する開口が形成され、障子１４を閉めることにより前記開口が閉塞される。
【００１７】
巻き取り式の網戸ユニット３０は、図２に示すように、上下方向に沿わせて配置された回動軸３６と、回動軸３６に巻き付けられた防虫用のネット３２ａを備えた網戸３２と、ネット３２ａが回動軸３６に巻き付けられた状態にて回動軸３６とともに収容される収容ボックス３４とを有している。
【００１８】
回動軸３６には、ネット３２ａの見付け方向における一方の端部が、その周面に固定されており、回動軸３６は図示しないコイルスプリングによりネット３２ａを巻き取る方向に回動するように付勢されている。
【００１９】
網戸３２は、ネット３２ａと、ネット３２ａの見付け方向における他方の端部、すなわち、回動軸３６に固定されていない側の端部に上下方向のほぼ全域に亘って設けられた可動桟３２ｂと、上枠２１及び下枠２２に設けられたスリット２２ａに挿通されたネット３２ａの上端部及び下端部に設けられ、上枠２１及び下枠２２に、移動自在に係合される係合部材３２ｃとを有している。
【００２０】
可動桟３２ｂは、水平断面がほぼ矩形状をなす中空部３２ｄと、見付け方向における右縦枠２８側の側面に突出された把持部３２ｅと、見付け方向における左縦枠２６側の側面に設けられたマグネット３２ｆとを有している。
【００２１】
把持部３２ｅは室内側と室外側とにそれぞれ設けられており、室内側及び室外側の把持部３２ｅ間にネット３２ａの端部が挿通されて固定されている。
【００２２】
マグネット３２ｆは、可動桟３２ｂを移動させてネット３２ａを引き出した際に、縦骨２９の右縦枠２８側の側面に設けられたマグネット２９ａと対向するように配置され、可動桟３２ｂのマグネット３２ｆと縦骨２９のマグネット２９ａとが当接された状態が磁力にて維持されることにより、ネット３２ａにて開口が覆われた状態が維持されるように構成されている。
【００２３】
また、可動桟３２ｂにおける中空部３２ｄの下端側には、図３に示すように被ガイド部としての戸車３３が設けられている。戸車３３は、見込み方向に間隔を隔てて２つ設けられており、見込み方向において、２つの戸車３３の中央にネット３２ａが位置するように配置されている。このとき、戸車３３は中空部３２ｄに設けられ、ネット３２ａは中空部３２ｄの右縦枠２８側の側面に設けられた把持部３２ｅ間より右縦枠２８側に設けられているので、２つの戸車３３間にはネット３２ａは存在しない。また、各戸車３３の見込み方向の幅は、後述する室外側溝部２４ｃ及び室内側溝部２５ｃの見込み方向の幅より十分に狭く形成されている。
【００２４】
そして、ユーザー等が、把持部３２ｅを把持して可動桟３２ｂを見付け方向に移動させることにより、ネット３２ａが収容ボックス３４から引き出されたり、回動軸３６に巻き取られたりしつつ、可動桟３２ｂに設けられた一対の戸車３３が、後述する下枠２２の室外側溝部２４ｃ及び室内側溝部２５ｃにガイドされつつ滑らかに移動する。
【００２５】
収容ボックス３４は、水平断面がほぼ矩形状の中空材であり、右縦枠２８側の側面は右縦枠２８に当接させて設けられており、縦骨２９側の側面には、回動軸３６に巻き付けられたネット３２ａが引き出される間隙部３４ａが上下方向の全域に亘って設けられている。そして、収容ボックス３４は、枠体２０に固定された際に、間隙部３４ａが上枠２１及び下枠２２のスリット２２ａと繋がる位置に配置されている。
【００２６】
本実施形態の建具１０は、昨今のバリアフリー化への要請に応えるべく、また、建具１０を含む窓越しの景観を良好にすべく、下枠２２の上面が、より平坦になるように構成されている。このとき、単に下枠２２を平坦な形状にすると、平坦な面に落ちた埃等が平坦な面に沿って移動され、ネット３２ａが移動するためのスリット２２ａ内に入り込んでしまうおそれがある。このため、本実施形態の建具１０の下枠２２には、図３〜図５に示すように、スリット２２ａが形成されるネット挿通部としての室外側スリット形成部２４ｂ及び室内側スリット形成部２５ｂと見込み方向に隣接させて溝部が設けられている。
【００２７】
下枠２２は、障子１４を案内するための下レール２３ａを有し、建物の躯体等に固定される下枠本体２３と、下枠本体２３に固定されネット３２ａが挿通されるスリット２２ａより室外側の表面部分を含む室外側部材としての室外側下枠部２４と、室外側下枠部２４に着脱自在に設けられスリット２２ａより室内側の表面部分を含む室内側部材としての室内側下枠部２５とを有している。すなわち、スリット２２ａは、室外側下枠部２４の室内側の縁２４ａと室内側下枠部２５の室外側の縁２５ａとで形成されている。
【００２８】
下枠本体２３は、見込み方向において下枠２２のほぼ全域に亘って設けられており、見込み方向において中央より室内側に位置させて障子１４用の下レール２３ａが設けられており、下レール２３ａの室内側には障子１４の下端が入り込む第１凹部２３ｂを介してレール前上面部２３ｃが設けられている。下レール２３ａの室外側には、障子１４の下端が入り込むとともに、下レール２３ａから間隔を隔てて室外側下枠部２４と室内側下枠部２５とが配置される第２凹部２３ｄが設けられている。また、下枠本体２３の室外側には、室外側に露出する面を平坦にするための外装部材２３ｅが、上方から挿入されたねじにて固定されており、ねじが挿入される上方側の空間を閉塞して平坦な閉塞上面部２３ｆを形成する目隠し部材２３ｇが外装部材２３ｅに嵌め込まれている。
【００２９】
室外側下枠部２４は、スリット２２ａを形成する室内側の縁２４ａを有する室外側スリット形成部２４ｂと、室外側スリット形成部２４ｂの室外側に隣接する室外側溝部２４ｃと、室外側溝部２４ｃの室外側に隣接する室外側上面部２４ｄと、室外側上面部２４ｄから室内側下枠部２５の室内側の縁部側に亘って下側に設けられ、室外側下枠部２４と室内側下枠部２５が組み合わされた状態で中空部を形成する凹部２４ｅとを有している。凹部２４ｅの底面には、見込み方向に間隔を隔てて見付け方向に沿った板状をなす２つの支持部２４ｆ、２４ｇが設けられている。２つの支持部２４ｆ、２４ｇはいずれも下枠本体２３に当接されるとともに、室内側の支持部２４ｆは下枠本体２３にねじで固定され、室外側の支持部２４ｇは先端側に設けられた係合部２４ｈが下枠本体２３のフック部２３ｈと係合している。また、凹部２４ｅの鉛直方向に立ち上げられた室内側の壁部２４ｉには、上端側に室内側下枠部２５と係合する係合突起２４ｊが設けられている。
【００３０】
室内側下枠部２５は、スリット２２ａを形成する室外側の縁２５ａを有する室内側スリット形成部２５ｂと、室内側スリット形成部２５ｂの室内側に隣接する室内側溝部２５ｃと、室内側溝部２５ｃの室内側に隣接する室内側上面部２５ｄとを有している。また、室内側上面部２５ｄと室内側溝部２５ｃとの境界部分からは、支持部２５ｅが垂設されている。支持部２５ｅは下端が室外側下枠部２４の凹部２４ｅに当接されるとともに、下端側に設けられた係合突片２５ｇが、凹部２４ｅに設けられた突片２４ｋと係合されている。さらに、室内側上面部２５ｄの室外側の下面からは係合リブ２５ｆが垂下されており、室外側下枠部２４の係合突起２４ｊと係合するように構成されている。
【００３１】
そして、下枠本体２３にねじ止めされた室外側下枠部２４の上方から、室内側下枠部２５を装着すると、室外側下枠部２４の突片２４ｋ及び係合突起２４ｊとに、室内側下枠部２５の係合突片２５ｇ及び係合リブ２５ｆが係合され、室内側下枠部２５が室外側下枠部２４に取り外し可能に取り付けられる。すなわち、本実施形態の下枠２２は、室外側下枠部２４と室内側下枠部２５とのうち室内側下枠部２５が室外側下枠部２４に着脱自在に設けられている。
【００３２】
下枠本体２３が躯体等に取り付けられ、下枠本体２３に固定された室外側下枠部２４に室内側下枠部２５が取り付けられた状態で、室外側下枠部２４の室外側スリット形成部２４ｂと室内側下枠部２５の室内側スリット形成部２５ｂとの間に、ネット３２ａが挿通されるスリット２２ａが形成される。すなわち、室外側スリット形成部２４ｂと室内側スリット形成部２５ｂとが、網材挿通部に相当する。また、スリット２２ａの下方には、室外側スリット形成部２４ｂ、室外側溝部２４ｃ、凹部２４ｅの一部、室内側スリット形成部２５ｂ、室内側溝部２５ｃ、及び、支持部２５ｅに囲まれた空隙３５が形成されている。この空隙３５は、室内側下枠部２５が取り外されることにより、スリット２２ａから室内側の上方が開放される。
【００３３】
また、下枠本体２３が躯体等に取り付けられ、下枠本体２３に固定された室外側下枠部２４に室内側下枠部２５が取り付けられた状態では、レール前上面部２３ｃ、閉塞上面部２３ｆ、室外側上面部２４ｄ、室内側上面部２５ｄ、及び、室外側スリット形成部２４ｂ、室内側上面部２５ｄの上面が、いずれも同じ高さの水平面を形成している。この水平面の高さは、図示しない床の上面の高さと同じである。
【００３４】
このため、本実施形態の下枠２２は、ほぼ全域に亘って平坦であり、さらに室内側の床からも繋がった平坦な上面が形成されている。よって、バリアフリー化が図れるとともに、窓越しの景観も含め、美観に優れた建具１０を提供することが可能である。
【００３５】
また、上面がほぼ平坦な下枠２２の上面に設けられたスリット２２ａを形成する室外側スリット形成部２４ｂと室外側上面部２４ｄとの間に室外側溝部２４ｃが、また、室内側スリット形成部２５ｂと室内側上面部２５ｄとの間に室内側溝部２５ｃがそれぞれ設けられている。
【００３６】
すなわち、ほぼ平坦な室外側スリット形成部２４ｂと室外側上面部２４ｄとの間に設けられた室外側溝部２４ｃの底面２４ｍの高さは、隣接する室外側スリット形成部２４ｂ及び室外側上面部２４ｄの上面の高さより僅かに低く形成されており、室内側スリット形成部２５ｂと室内側上面部２５ｄとの間に設けられた室内側溝部２５ｃの底面２５ｈの高さは、隣接する室内側スリット形成部２５ｂ及び室内側上面部２５ｄの上面の高さより僅かに低く形成されている。
【００３７】
このため、室外側上面部２４ｄ及び室内側上面部２５ｄに落ちた埃等が室外側上面部２４ｄ及び室内側上面部２５ｄから見込み方向に沿って移動したとしてもスリット２２ａには直接入り込みにくい。このため、スリット２２ａ内に埃等が入り込むことを抑えることが可能である。
【００３８】
また、下枠２２の上面より僅かに凹設させた室外側溝部２４ｃ及び室内側溝部２５ｃ上を走行する戸車３３は、室外側溝部２４ｃ及び室内側溝部２５ｃによって見付け方向に案内されるので、網戸３２をガイドするためのガイド部材を別途備えることなく、網戸３２を見付け方向に移動させることが可能である。
【００３９】
このとき、室外側の戸車３３は室外側溝部２４ｃにより室内側への移動が規制され、室内側の戸車３３は室内側溝部２５ｃにより室外側への移動が規制される。すなわち、２つの戸車３３がそれぞれ見込み方向における反対方向への移動が規制されているので、各々の戸車３３の幅より広く形成された室外側溝部２４ｃと室内側溝部２５ｃとには、室外側溝部２４ｃの室外側の部位と室内側溝部２５ｃの室内側の部位とに戸車３３が走行しない領域を有することになる。
【００４０】
このため、室外側上面部２４ｄ及び室内側上面部２５ｄに落ちた埃等は、気流や物体の移動等により、室外側上面部２４ｄ及び室内側上面部２５ｄの見込み方向に沿って室外側溝部２４ｃ及び室内側溝部２５ｃ内に移動したとしても、埃等は室外側溝部２４ｃ及び室内側溝部２５ｃの戸車３３が走行しない領域に移動可能なので、戸車３３の走行によりスリット２２ａ内に埃等が入り込むことを抑えることが可能である。
【００４１】
また、本実施形態の建具１０は、スリット２２ａの下方に空隙３５が形成されているので、たとえスリット２２ａから埃等が入り込んだとしても、スリット２２ａの下の空隙３５に埃等を溜めることが可能である。そして、空隙３５を形成する室外側下枠部２４と室内側下枠部２５とのうち、室内側下枠部２５は室外側下枠部２４から取り外し可能なので、室外側下枠部２４からから室内側下枠部２５を取り外して空隙３５の上方を開放し、空隙３５内を掃除することが可能である。このためメンテナンス性の良い建具１０を提供することが可能である。
【００４２】
上記実施形態においては、室内側下枠部２５が室外側下枠部２４に着脱自在に設けられている例について説明したが、室内側下枠部２５が下枠本体２３に固定され、室外側下枠部２４が室内側下枠部２５に着脱自在に設けられていてもよく、また、室内側下枠部２５と室外側下枠部２４がそれぞれ下枠本体２３に着脱自在に固定されていてもよい。更に、室外側下枠部２４と室内側下枠部２５のいずれか一方が下枠本体２３と一体的に形成されていてもよい。
【００４３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４４】
【図１】本実施形態に係る建具を室外側からみた外観図である。
【図２】本実施形態に係る建具の構成を説明するための平断面図である。
【図３】下枠の構成を説明するための縦断面図である。
【図４】下枠及び収容ボックスを上方から見た図である。
【図５】下枠の斜静図である。
【符号の説明】
【００４５】
１０  建具、２０  枠体、２２  下枠、２２ａ  スリット、２４  室外側下枠部、
２４ｂ  室外側スリット形成部、２４ｃ  室外側溝部、２４ｄ  室外側上面部、
２４ｍ  底面、２５  室内側下枠部、２５ｂ  室内側スリット形成部、
２５ｃ  室内側溝部、２５ｄ  室内側上面部、２５ｈ  底面、３０  網戸ユニット、
３２  網戸、３２ａ  ネット、３３  戸車、３５  空隙、３６  回動軸
【図１】
2008196155.tif 000003
【図２】
2008196155.tif 000004
【図３】
2008196155.tif 000005
【図４】
2008196155.tif 000006
【図５】
2008196155.tif 000007